(57)【要約】      （修正有）【課題】大きさおよび形状を調節することができる枠体を有した電子レンジ加熱調理用容器およびそのブランクシートセットを提供する【解決手段】電子レンジ加熱調理用容器に具備される枠体は、内周の長さを調節することによって内径が可変であるとともに、形状を任意に変えることができることから、ユーザーが所望する大きさと形状で生地を加熱することができる。【選択図】図４
2016073363.tif 000002
【特許請求の範囲】
【請求項１】
マイクロ波の照射により発熱する発熱体を配設した底体を形成するためのブランクシートと、
上記底体の上面に載置される枠体を形成するためのブランクシートとを有し、
上記枠体の内側に被加熱調理物を入れて当該枠体の内側面および上記底体の上面に当該被加熱調理物を接触させた状態で上記発熱体によって当該被加熱調理物の加熱がおこなわれる電子レンジ加熱調理用容器を組み立てることができるブランクシートセットであって、
上記枠体を形成するためのブランクシートは、上記枠体の内周の長さを調節することによって内径が可変であるとともに、上記枠体を任意の形状にすることができることを特徴とするブランクシートセット。
【請求項２】
上記枠体を上記底体の上記上面に載置した状態において、上記枠体における、上記底体の上記上面に接する端部を構成する開口部の大きさよりも、上記発熱体の配設領域が大きいことを特徴とする請求項１に記載のブランクシートセット。
【請求項３】
上記枠体を形成するためのブランクシートは、帯状であり、
上記枠体は、該帯状のシート構造体の長手方向に沿った両端部分において連結して枠状に構成されたものであり、
上記両端部分にはそれぞれ、当該両端部分同士が連結可能な連結可能箇所が設けられており、
当該両端部分のうちの少なくとも一方の端部分には、複数の上記連結可能箇所が設けられており、当該複数の連結可能箇所のなかで連結する連結可能箇所を変えることによって、上記内周の長さが調節されることを特徴とする請求項１または２に記載のブランクシートセット。
【請求項４】
上記複数の連結可能箇所は、上記枠体を形成するためのブランクシートに設けられた、切開箇所を示す目印によって構成されており、ユーザーが当該目印のうちの一つを切開することによって当該切開箇所において上記両端部分同士を挿し込んで連結することを特徴とする請求項１から３までの何れか１項に記載のブランクシートセット。
【請求項５】
上記枠体を形成するためのブランクシートは、上記枠体における被加熱調理物と接触する面に剥離加工を施していることを特徴とする請求項１から４までの何れか１項に記載のブランクシートセット。
【請求項６】
上記底体を形成するためのブランクシートには、ユーザーが上記電子レンジ加熱調理用容器を持ち運ぶための持ち手が、上記発熱体の配設箇所とは異なる箇所に設けられていることを特徴とする請求項１から５までの何れか１項に記載のブランクシートセット。
【請求項７】
上記底体を形成するためのブランクシートは、上記発熱体が配設されている領域において折り曲げ箇所が設けられていないことを特徴とする請求項１から６までの何れか１項に記載のブランクシートセット。
【請求項８】
マイクロ波の照射により発熱する発熱体を配設した底体と、上記底体の上面に載置される枠体とを備え、
上記枠体の内側に被加熱調理物を入れて当該枠体の内側面および上記底体の上面に当該被加熱調理物を接触させた状態で上記発熱体によって当該被加熱調理物の加熱がおこなわれ、
上記枠体は、内周の長さを調節することによって内径が可変であるとともに、任意の形状にすることができることを特徴とする電子レンジ加熱調理用容器。
【請求項９】
上記枠体の内側面に剥離加工が施されているか、または上記枠体の内側面に、剥離加工が施されたシートが添って配設されていることを特徴とする請求項８に記載の電子レンジ加熱調理用容器。
【発明の詳細な説明】
【技術分野】
【０００１】
本発明はマイクロ波の照射によって発熱する発熱体を備えた電子レンジ加熱調理用容器、およびそのブランクシートセットに関する。
【背景技術】
【０００２】
マイクロ波を吸収して発熱する発熱体を備えた加熱容器は、電子レンジを用いていながら、加熱対象の食品や食材をまるでグリルやオーブンで調理したかのような仕上がりで加熱調理することができることから、便利なキッチン用品の一つとして注目されている。
【０００３】
特許文献１には、例えばホットケーキの生地を充填して、電子レンジで加熱調理することによって、フライパンで調理したように表面に焼き目がついたホットケーキを作ることができる電子レンジ加熱用調理型が開示されている。特許文献１の電子レンジ加熱用調理型は、底壁と、該底壁の外周を囲む側壁と、該側壁内に落とし込まれて生地の上面に最初から接した状態で使用される落とし蓋とを有し、底壁および落とし蓋には、電磁波を受けることで発熱する発熱体層が形成されている。底壁と、側壁と、落とし蓋とは、それぞれ別体で形成された折り畳み可能なシートで形成されており、側壁は、枠状に組立可能とされ、底壁は、該側壁の下端部に支持可能とされている。生地を底壁と落とし蓋とにより挟んで加熱すると、底壁および落とし蓋との接触面に焼き目がついたホットケーキが完成するというものである。側壁は、長手方向に沿った一方の端部に一対の差込み片が設けられており、長手方向に沿った他方の端部に設けられたスリットに差し込むことで、枠状に組み立てられる。
【先行技術文献】
【特許文献】
【０００４】
【特許文献１】特許第５４５１９２８号（特許公報発行日：２０１４年１月１０日）
【発明の概要】
【発明が解決しようとする課題】
【０００５】
しかしながら、上述の特許文献１の電子レンジ加熱用調理型は、生地を所定の大きさおよび所定の形状でしか加熱調理することができない。すなわち、先述したホットケーキで言えば、所定の直径を有した円形のホットケーキしか作ることができない。
【０００６】
例えば、食べ盛りの子供には比較的大きいサイズのホットケーキを作ってあげたい。一方、ちょっとだけ食べたい場合には比較的小さいサイズのホットケーキを作りたい。あるいは可愛く盛り付けをしたいと思えば例えば星形のホットケーキを作りたいこともある。
【０００７】
そこで、本発明は上記の問題点に鑑みてなされたものであり、その目的は、大きさおよび形状を調節することができる枠型を有した電子レンジ加熱調理用容器およびそのブランクシートセットを提供することにある。
【課題を解決するための手段】
【０００８】
上記の課題を解決するために、本発明に係るブランクシートセットは、
マイクロ波の照射により発熱する発熱体を配設した底体を形成するためのブランクシートと、
上記底体の上面に載置される枠体を形成するためのブランクシートとを有し、
上記枠体の内側に被加熱調理物を入れて当該枠体の内側面および上記底体の上面に当該被加熱調理物を接触させた状態で上記発熱体によって当該被加熱調理物の加熱がおこなわれる電子レンジ加熱調理用容器を組み立てることができるブランクシートセットであって、
上記枠体を形成するためのブランクシートは、上記枠体の内周の長さを調節することによって内径が可変であるとともに、上記枠体を任意の形状にすることができることを特徴としている。
【０００９】
上記の構成によれば、枠体が、内周の長さを調節することによって内径が可変であるとともに、上記枠体の形状を任意に変形する。これにより、電子レンジ加熱調理用容器のユーザーが所望する大きさおよび形状で被加熱調理物を加熱することができる。
【００１０】
例えば先述のホットケーキで言えば、上記枠体は内周の長さを調節することによって内径を変えることができることから、食べ盛りの子供には比較的大きいサイズでホットケーキを作ってあげることができる。また、ちょっとだけ食べたい場合には比較的小さいホットケーキを作ることもできる。
【００１１】
また、上記枠体は形状を変えることができることから、可愛く盛り付けをしたい等の場合には、例えば枠体の形状を星型にして（変形させて）用いることによって、星形のホットケーキを作ることができる。
【００１２】
本発明に係るブランクシートセットの一形態は、上記の構成に加えて、
上記枠体を上記底体の上記上面に載置した状態において、上記枠体における、上記底体の上記上面に接する端部を構成する開口部の大きさよりも、上記発熱体の配設領域が大きいことが好ましい。
【００１３】
上記の構成によれば、上記枠体の上記開口部の大きさおよび形状を変えても、被加熱調理物の下面（底体に接触している面）全域を均一に加熱することができる。
【００１４】
本発明に係るブランクシートセットの一形態は、上記の構成に加えて、
上記枠体を形成するためのブランクシートは、帯状であり、
上記枠体は、折り畳み可能な帯状のシート構造体が、当該帯状のシート構造体の長手方向に沿った両端部分において連結して枠状に構成されたものであり、
上記両端部分にはそれぞれ、当該両端部分同士が連結可能な連結可能箇所が設けられており、
当該両端部分のうちの少なくとも一方の端部分には、複数の上記連結可能箇所が設けられており、当該複数の連結可能箇所のなかで連結する連結可能箇所を変えることによって、上記内周の長さが調節されることが好ましい。
【００１５】
上記の構成によれば、連結可能箇所を変えるという比較的簡易な手法で、枠体の内径を変えることができる。
【００１６】
本発明に係るブランクシートセットの一形態は、上記の構成に加えて、
上記複数の連結可能箇所は、上記シート構造体上に設けられた、切開箇所を示す目印によって構成されており、ユーザーが当該目印のうちの一つを切開することによって当該切開箇所において上記両端部分同士を挿し込んで連結することが好ましい。
【００１７】
仮に、複数の連結可能箇所が予め切開されている場合、流動性のある被加熱調理物（例えばホットケーキの生地）を枠体の内側に入れると、切開部分を通じて被加熱調理物が漏れ出る虞がある。しかしながら、上記の構成によれば、挿し込まない連結可能箇所は切開しなければ良く、そのような漏れは生じない。
【００１８】
本発明に係るブランクシートセットの一形態は、上記の構成に加えて、
上記枠体は、被加熱調理物と接触する面に剥離加工を施していることが好ましい。
【００１９】
上記の構成によれば、被加熱調理物の加熱後に被加熱調理物から枠体を取り外しやすい。
【００２０】
本発明に係るブランクシートセットの一形態は、上記の構成に加えて、
上記底体の端部には、ユーザーが上記電子レンジ加熱調理用容器を持ち運ぶための持ち手が、上記発熱体の配設箇所とは異なる箇所に設けられていることが好ましい。
【００２１】
上記の構成によれば、発熱体の配設箇所とは異なる箇所に設けられた持ち手をユーザーが持つようにすれば、火傷をすることなく安全に上記電子レンジ加熱調理用容器を持ち運ぶことができる。
【００２２】
本発明に係るブランクシートセットは、上記の構成に加えて、
上記底体を形成するためのブランクシートが、上記発熱体が配設されている領域において折り曲げ箇所が設けられていないことが好ましい。
【００２３】
上記の構成によれば、底体の発熱体の配設領域は平坦であり、折り曲げによって不都合に凹凸していないことから、上記枠体の下端を良好に上記底体（発熱体）の上に載置することができる。
【００２４】
また、本発明に係る電子レンジ加熱調理用容器は、上記の課題を解決するために、
マイクロ波の照射により発熱する発熱体を配設した底体と、上記底体の上面に載置される枠体とを備え、
上記枠体の内側に被加熱調理物を入れて当該枠体の内側面および上記底体の上面に当該被加熱調理物を接触させた状態で上記発熱体によって当該被加熱調理物の加熱がおこなわれ、
上記枠体は、内周の長さを調節することによって内径が可変であるとともに、任意の形状にすることができることを特徴としている。
【００２５】
上記の構成によれば、枠体が、内周の長さを調節することによって内径が可変であるとともに、上記枠体の形状を任意に変形する。これにより、電子レンジ加熱調理用容器のユーザーが所望する大きさおよび形状で被加熱調理物を加熱することができる。
【００２６】
例えば先述のホットケーキで言えば、上記枠体は内周の長さを調節することによって内径を変えることができることから、食べ盛りの子供には比較的大きいサイズでホットケーキを作ってあげることができる。また、ちょっとだけ食べたい場合には比較的小さいホットケーキを作ることもできる。
【００２７】
また、上記枠体は形状を変えることができることから、可愛く盛り付けをしたい等の場合には、例えば枠体の形状を星型にして（変形させて）用いることによって、星形のホットケーキを作ることができる。
【００２８】
本発明に係る電子レンジ加熱調理用容器の一形態は、上記の構成に加えて、
上記枠体の内側面に剥離加工が施されているか、または上記枠体の内側面に、剥離加工が施されたシートが添って配設されていることが好ましい。
【００２９】
上記の構成によれば、被加熱調理物の加熱後に被加熱調理物から枠体を取り外しやすい。
【発明の効果】
【００３０】
本発明によれば、大きさおよび形状を調節することができる枠体を有した電子レンジ加熱調理用容器、およびそのブランクシートセットを提供することができる。
【図面の簡単な説明】
【００３１】
【図１】本発明の一実施形態に係る電子レンジ加熱調理用容器の分解図である。
【図２】本発明の一実施形態に係る電子レンジ加熱調理用容器を構成する底体の詳細を示す部分断面図である。
【図３】図１に示す切断線Ａ−Ａ´によって図１に示す電子レンジ加熱調理用容器を切断した断面図である。
【図４】本発明の一実施形態に係る電子レンジ加熱調理用容器を構成するブランクシートセットを示す図である。
【図５】本発明の一実施形態に係る電子レンジ加熱調理用容器を構成する枠体の詳細を示す斜視図である。
【図６】本発明の一実施形態に係る電子レンジ加熱調理用容器を構成する枠体の変形例を示す図である。
【図７】本発明の一実施形態に係る電子レンジ加熱調理用容器を構成する枠体の変形例を示す図である。
【図８】本発明の一実施形態に係る電子レンジ加熱調理用容器を構成する枠体の変形例を示す図である。
【発明を実施するための形態】
【００３２】
以下、本発明に係る電子レンジ加熱調理用容器の一実施形態と、そのブランクシートセットについて、詳細に説明する。
【００３３】
〔１．電子レンジ加熱調理用容器〕
本実施形態の電子レンジ加熱調理用容器は、被加熱調理物を電子レンジで加熱調理する際に用いる容器であり、なかでも、ある程度の厚さをもって仕上げたい被加熱調理物の加熱調理のために好適に用いられる。具体的には、ホットケーキ（パンケーキ）、スポンジケーキ、パン、お好み焼き、チヂミが挙げられるが、これらに限定されるものではない。なお、本実施形態では、加熱調理の対象として、ホットケーキの生地を例に挙げて説明する。なお、以下では、ホットケーキの生地のことを単に生地５０（図３）と記載する。
【００３４】
図１は、本実施形態の電子レンジ加熱調理用容器の分解図である。図１に示す電子レンジ加熱調理用容器１は、底体２と、枠体３とを備えている。底体２と枠体３とは個別の構成であり、電子レンジ加熱調理用容器１の加熱調理時には、底体２の上面に枠体３を載置する。
【００３５】
〔１．１．底体〕
底体２は、ほぼ四角形を有した基材シート２１と、基材シート２１の中央部分上面に配設された発熱体２２とを有している。
【００３６】
基材シート２１は、四角形の本体部２１ａと、本体部２１ａにおける四角形を構成する４辺のうちの対向する２辺において拡張した部分から構成される持ち手部２１ｂとを有している。本体部２１ａおよび持ち手部２１ｂは一体的に構成されている。持ち手部２１ｂは、本体部２１ａとの境界において折り曲げることによって本体部２１ａの上面から立設した態様で構成されている。基材シート２１は、ボール紙などの紙材から構成することができる。
【００３７】
発熱体２２は、本体部２１ａの上面に対して貼着されている。発熱体２２はシート状であり、本体部２１ａの上面に沿って広がっており、本体部２１ａの上面のほぼ全領域に配設領域を有する。発熱体２２は、本体部２１ａのみ配設されており、持ち手部２１ｂには配設されていない。持ち手部２１ｂには発熱体２２を設けないことにより、電子レンジによる加熱調理後であっても、持ち手部２１ｂの温度は発熱体２２に比べて低温になっている。そのため、加熱調理後に電子レンジ加熱調理用容器１を持ち運ぶ際、特に電子レンジ加熱調理用容器１を加熱直後に電子レンジの庫内から取り出すには、この持ち手部２１ｂをユーザーに摘ませる。持ち手部２１ｂは紙材から構成されているため、ユーザーは火傷をすることなく安全に電子レンジ加熱調理用容器１を持ち運ぶことができる。
【００３８】
図２は、発熱体２２の具体的構成を示す断面図である。発熱体２２は、少なくともプラスチックフィルム層２２ａと、金属蒸着層２２ｂと、剥離紙層２２ｃとを順に有する多層構造を備えており、剥離紙層２２ｃを被加熱調理物側に向けて配置する。剥離紙層２２ｃを生地５０に接触させた状態で加熱することにより、被加熱調理物の焦げ付きを防ぐことができる。
【００３９】
プラスチックフィルム層２２ａに用いるプラスチックの種類は、例えば、ポリエチレンテレフタレート、ポリプロピレン、ポリメチルペンテン、ポリエーテルイミドである。フィルムは、未延伸フィルムであるか、または延伸フィルムであってもよい。耐熱性の観点では、二軸延伸フィルムであることがより好ましい。プラスチックフィルム層２２ａの厚さは、５〜５０μｍであることが好ましい。
【００４０】
金属蒸着層２２ｂは、マイクロ波の照射によって発熱する層である。金属蒸着層２２ｂに用いる金属の種類は、例えば、アルミニウム、ニッケル、金、銀、亜鉛、白金である。金属蒸着層２２ｂの厚さは、２〜１０ｎｍであることが好ましく、５〜１０ｎｍであることがより好ましい。金属蒸着層２２ｂの厚さが２ｎｍより薄い場合は発熱しないことがあり、厚さが１０ｎｍより厚い場合は金属蒸着層２２ｂがスパークすることがあるため、金属蒸着層２２ｂの厚さは、２〜１０ｎｍであることが好ましい。金属蒸着層２２ｂは、プラスチックフィルム層２２ａの少なくとも片面に、例えば真空蒸着法による形成することができるが、形成方法は、これに限定されるものではない。金属蒸着層２２ｂの発熱温度は、１７０℃以上２５０℃以下であることが好ましい。
【００４１】
剥離紙層２２ｃは、表面に剥離加工を施した紙である。剥離加工とは、例えば、シリコンの塗布層を付与することである。剥離紙層２２ｃの厚さは、１０〜１００μｍであることが好ましい。
【００４２】
このような構成の発熱体２２に電子レンジのマイクロ波が吸収されて加熱することにより、生地５０を加熱することができ、発熱体２２に接触する生地５０の接触面に焼き目を付けることができる。
【００４３】
なお、発熱体２２は、プラスチックフィルム層２２ａ、金属蒸着層２２ｂおよび剥離紙層２２ｃ以外の層を設けてもよい。例えば、各層間に接着層を設ける形態、剥離紙層２２ｃとは反対側の表面に配置した層の表面に底体２に接着するための接着層を設ける形態、剥離紙層２２ｃとは反対側の表面に基材として紙層を設ける形態である。接着層は、発熱体２２の全面に設けるか、または一部に設けてもよい。一部に設ける場合は、例えば帯状に設ける形態が挙げられる。
【００４４】
〔１．２．枠体〕
枠体３は、底体２の上面に載置される枠状構造物であり、載置された状態の枠体３は、底体２の上面から立設した側壁を構成する。
【００４５】
図３は、図１に示す切断線Ａ−Ａ´において、電子レンジ加熱調理用容器１を切断した断面図であり、説明の便宜上、枠体３が底体２の上面に載置された状態の断面図であり、生地５０が入っている状態を示している。
【００４６】
図３に示すように、枠体３が底体２の上面に載置されると、発熱体２２の上面が底部を構成するとともに、枠体３の内側面が側壁を構成した凹形状の容器が形成される。そこに、生地５０が入ると、生地５０は、底部（発熱体２２の上面）を下端として、重力によって底部（発熱体２２の上面）に沿って拡径するが、枠体３によって堰き止められ、当該下端からある程度の厚さを有したものとなる。ホットケーキでいえば下端が一般的に焼き目が付いた面であり、枠体３の内側面に接触している面が、ホットケーキの厚さに相当する側面である。
【００４７】
本実施形態では、枠体３は、図１に示したように円筒形状に構成されている。これにより、加熱調理された生地５０は、円形状に焼きあがる。
【００４８】
ここで、発熱体２２の配設領域は、枠体３の下端を構成する開口部よりも大きい。すなわち、枠体３の下端を構成する開口部を発熱体２２が下から隙間なく覆っている。図３には、円筒形状の枠体３の直径Ｄと、発熱体２２の幅Ｗとの関係を示している。図３に示すように、円筒形状の枠体３の直径Ｄは、発熱体２２の幅Ｗよりも小さく構成されている。これにより、先述の凹形状の容器の底部が全領域が発熱体２２によって構成される。なお、円筒形状の枠体３の直径Ｄと、発熱体２２の幅Ｗとが等しくてもよい。このように、発熱体２２の大きさを枠体３の下端を構成する開口部よりも大きく構成することにより、枠体３の下端から生地５０を良好に加熱調理することができる。
【００４９】
円筒形状の枠体３の高さ（深さ）Ｈは、厚めのホットケーキを想定して例えば４〜５ｃｍとすることができるが、これに限定されるものではない。
【００５０】
ところで、本発明の特徴的構成は、枠体３が内周の長さを調節することができる点にあり、これにより、径（内径）の大きさが調節することができる。ここで、この点を説明する前に、本実施形態のブランクシートセットについて図４を用いて説明する。
【００５１】
〔２．ブランクシートセット〕
図４は、本実施形態のブランクシートセット１０を示しており、上述の底体２および枠体３にそれぞれ対応した計２枚のブランクシートを有している。
【００５２】
底体２に対応した底体用ブランクシート２０は平面状に構成されており、その中央部分上面に発熱体２２が貼着されている。発熱体２２を挟んで左右に示している破線の箇所において底体用ブランクシート２０の左右両端を紙面手前方向に折り曲げて立ち上げることにより、立ち上がった部分が図１および図３に示す持ち手部２１ｂとなる。
【００５３】
底体用ブランクシート２０は、ボール紙などの紙材を基材として、当該基材の上面に発熱体２２を貼り付けている。
【００５４】
底体用ブランクシート２０は、比較的大きいため、保管、輸送などを考慮すれば、折り畳んだ形態としてもよいところである。しかしながら、本実施形態では、発熱体２２の上に枠体３を載置して枠体３内に流動性がある生地５０を流し込むので、発熱体２２の領域において折り曲げてしまうと、発熱体２２と枠体３との間に隙間が生じて生地５０が漏れ出てしまう虞がある。そのため、本実施形態では、発熱体２２の配設領域は平坦に保たれ、折り曲げないことが好ましい。
【００５５】
枠体３に対応した枠体用ブランクシート３０は、帯状で長尺なシート構造体である。この枠体用ブランクシート３０を、長手方向に沿った両端部分同士を合せるようにして輪っか状にすれば枠体３（図１および図３）となる。輪っか状にすることにより、枠体用ブランクシート３０の長手方向に沿って平行に延びる２本の端辺のうちの一方が、円形となって、発熱体２２と接触する、枠体３（図１および図３）の一方側の開口部を形成する。そして、２本の端辺のうちの他方も、円形となって、当該一方側の開口部とは反対側の開口部となり、枠体３への生地５０の投入口を形成する。
【００５６】
枠体用ブランクシート３０は、耐熱性を有する紙材から構成することができ、生地５０と接触する面には、加熱調理後の生地５０が剥離しやすいように剥離加工が施されている。具体的には、紙材の表面にシリコーン樹脂加工を施したもの、または紙材の表面にシリコーン樹脂加工紙（例えば、市販のクッキングシートに相当するもの）を貼り付けたものを用いることができる。シリコーン樹脂加工した面は、生地５０への貼り着きが抑えられるため、加熱調理後の生地５０を枠体３から容易に取り出すことができる。シリコーン樹脂加工を施す紙材としては、枠体用ブランクシート３０を枠体３にしたときに底体２の上面において側壁として自立でき、且つ、ユーザーが所望する形状を実現するべくその一部分をユーザーが折り曲げた場合にはその形状を維持できるものが好ましく、例えばボール紙を用いることができる。
【００５７】
なお、本実施形態における枠体用ブランクシート３０は、生地５０と接触する面に剥離加工が施されている紙材を用いているが、これに限定されるものではない。例えば、剥離加工が施されていない紙材であってもよい。この場合、枠体用ブランクシート３０を輪っか状にした後、その内側の大きさにカットしたシリコーン樹脂加工紙（例えば、市販のクッキングシート）を輪っかの内側に添わせて配設することによって、枠体３とすることができる。このような枠体３によっても、枠体３への生地５０の貼り着きを抑えることができる。
【００５８】
そして、本実施形態において特徴的なのは、帯状の枠体用ブランクシート３０を輪っか状にする際に、帯状の枠体用ブランクシート３０の長手方向に沿った両端部分を連結する必要があるが、このときに、その連結する箇所を変えることによって、枠体３が内周の長さを調節する点にある。これについて、図４とともに図５を用いて説明する。
【００５９】
図５は、枠体用ブランクシート３０を輪っか状にする際の両端部分同士の連結方法を説明した図である。図５に示すように、枠体用ブランクシート３０（枠体３）の両端部分のうちの一方の端部分３６には、長手方向に沿って平行に延びる一方の端辺において他方の端辺に向かって切開された切開箇所３３が設けられている。一方、枠体用ブランクシート３０（枠体３）の両端部分のうちの他方の端部分３７には、長手方向に沿って平行に延びる他方の端辺において一方の端辺に向かって切開された切開箇所３４が設けられている。そして、一方の端部分３６と他方の端部分３７とを切開箇所３３、３４同士を噛み合わせるように挿し込むことによって、図５に示すように両端部分が繋がって輪っか状になった枠体３が完成する。
【００６０】
なお、本実施形態では、枠体用ブランクシート３０には切開可能位置（連結可能箇所）を示す目印のみが付されており、それぞれは切開されていない。ユーザーは枠体３を組み立てる際に、この目印に従って、ハサミ等を用いるか手でちぎって切開して、その切開箇所において一方の端部分３６と他方の端部分３７とを噛み合わせればよい。これにより、仮に、複数の連結可能箇所が予め切開されている場合、特に流動性のある被加熱調理物（生地５０も含む）を枠体３の内側に入れると、切開部分を通じて被加熱調理物が漏れ出る虞がある。しかしながら、本実施形態のように、連結する箇所のみを切開する態様としていることにより、そのような漏れが生じず好ましい。なお、当該目印には、切れ込みやミシン目（切り取り線）が設けられていても良い。切れ込みやミシン目を設けることにより、ユーザーが切開しやすく好ましい。
【００６１】
そして、注目すべきは、一方の端部分３６と他方の端部分３７とにそれぞれ、複数の切開箇所の目印（連結可能箇所）が設けられている点にある。図４には、一方の端部分３６に端から５つの切開箇所の目印ａ，ｂ，ｃ，ｄおよびｅ（複数の連結可能箇所）が設けられており、他方の端部分３７に端から５つの切開箇所の目印Ａ，Ｂ，Ｃ，ＤおよびＥ（複数の連結可能箇所）が設けられている様子を示している。複数の切開箇所の中から連結に用いる切開箇所をユーザーが選択して、選択した切開箇所を用いて枠体用ブランクシート３０の両端部分を連結して輪っか状にすることにより、所望する内径を有する枠体３を組み立てることができる。
【００６２】
また、枠体用ブランクシート３０には、枠体３の状態となったときの内側面あるいは外側面に、加熱前の状態の生地５０の上端面の限界を示すマークが設けられていても良い。また、枠体用ブランクシート３０には、枠体３の状態となったときに、どちら側の開口部を底体２（発熱体２２）の上面に接触させるかを示すマークが設けられていても良い。
【００６３】
なお、本実施形態のブランクシートセット１０には、底体用ブランクシート２０および枠体用ブランクシート３０を収納する収納箱が含まれても良い。収納箱は、底体用ブランクシート２０の発熱体２２よりも大きいサイズを有し、底体用ブランクシート２０が、発熱体２２を折り曲げることなく収納できるサイズであることが好ましい。
【００６４】
本実施形態の電子レンジ加熱調理用容器１の一使用例を説明すると、ブランクシートセット１０の底体用ブランクシート２０を発熱体２２が配設された面を上にして、ユーザーが本体部２１ａに対して持ち手部２１ｂが立ち上げて底体３を形成する。
【００６５】
枠体用ブランクシート３０は、枠体３としたときにユーザーが所望する内径となるように、両端部分に設けられた目印ａ，ｂ，ｃ，ｄおよびｅのうちの一つと、目印Ａ，Ｂ，Ｃ，ＤおよびＥのうちの一つとをユーザーが選択して、その選択した箇所をユーザーが切開する。そして、ユーザーによって当該切開箇所同士を図５に示したように噛み合わせて枠体３を形成する。一例としては、内径が１２ｃｍの円形の枠体３を形成する。この場合、発熱体２２の大きさは、例えば１３ｃｍ角の大きさとすることができる。
【００６６】
そして、この枠体３を底体２の発熱体２２の上に載置し、生地５０を枠体３の内側に流し込み、電子レンジにセットして、電子レンジを作動させ、加熱調理を開始する。生地５０の厚さにもよるが、例えば完成時に厚さ４ｃｍのホットケーキを作成するためには、５００Ｗで３分間の加熱をおこなえばよい。
【００６７】
なお、図１に示す本実施形態の電子レンジ加熱調理用容器１は、枠体３の下面のみから生地５０を加熱する態様としている。この場合、生地５０の下面のみに焼き目が付くが、加熱時間を適宜調整すれば、生地５０の内部は加熱された状態となる。そのため、例えば、ホットケーキを加熱調理する場合に、焼き目が付いた下面を、上面にして皿に盛りつければ良い。もし両面とも焼き目をつけたい場合は、下面に焼き目を付けた後に、生地５０を枠体３とともに引っくり返して生地５０の上面だった面を発熱体２２に接触させて再び電子レンジを作動させて加熱すれば、両面ともに焼き目を付けることができる。あるいは、底体用ブランクシート２０に配設された発熱体２２と同様の構成を有する発熱体が紙材に配設された上面用ブランクシートを、発熱体を下側にして枠体３の上に被せた状態で加熱を行う方法であってもよい。当該方法によれば、電子レンジで加熱調理されている生地が膨らみ、枠体３の上に被せた上面用ブランクシートの発熱体に接触することにより、両面ともに焼き目がつくようになる。したがって、本実施形態のブランクシートセット１０は、底体用ブランクシート２０および枠体用ブランクシート３０の他に、紙材に発熱体が配設された上面用ブランクシートを含んでいてもよい。また、この上面用ブランクシートは、枠体３の内側に嵌る大きさのものであってもよい。生地５０を枠体３の内側に流し込んだ後、この上面用ブランクシートを生地５０の上にのせることにより、生地５０の上面にも下面と同時に焼き目を付けることができる。このとき、枠体３の上に重しを被せて加熱を行ってもよい。重しの底面で生地５０の上面が抑えつけられることにより、上面の生地面も平らになり、上面をきれいな焼き上がり面とすることができる。枠体３の上に被せる重しとしては、耐熱ガラス製のプレート等を用いることができる。なお、本実施形態のブランクシートセット１０に、枠体３の内側に嵌る大きさの上面用ブランクシートを予め含ませておく場合に限らず、使用者がハサミ等で適宜、枠体３の内側に嵌るような大きさに切り出すものであってもよい。例えば、上面用ブランクシートの、発熱体が配設されていない側に、直径１２ｃｍ用、１０ｃｍ用等の円をデザインしておくことにより、使用者がこの円に沿って所望の大きさの上面用ブランクシートを切り出すことができる。
【００６８】
なお、発熱体２２の上に、複数の枠体３を置き、同時に複数の生地５０を加熱調理することも可能である。
【００６９】
なお、本実施形態のブランクシートセット１０は、１枚の底体用ブランクシート２０と、１枚の枠体用ブランクシート３０を有して構成されているが、本発明はこれに限定されるものではなく、ブランクシートセットに含まれる底体用ブランクシートおよび枠体用ブランクシートの枚数は問わず、複数の底体用ブランクシートおよび／または複数の底体用ブランクシートから構成することも可能である。
【００７０】
〔３．変形例〕
〔３．１．枠体の形状の変形例〕
図１に示した本実施形態の電子レンジ加熱調理用容器１の枠体３は、円筒状に構成されているが、枠体３はユーザーの所望する形状に変形することができるから、枠体３の形状は円筒形（円形）に限定されるものではない。図６は、枠体３の形状の変形例を示している。
【００７１】
具体的には、枠体３は、図６の（ａ）に示すように四角形を有しても良い。四角形は、先述のように、枠体用ブランクシート３０（図４）をユーザーが折り曲げて作成することができる。
【００７２】
また、図６の（ｂ）に示すように、枠体３を星型にすることも可能である。これも、枠体用ブランクシート３０（図４）をユーザーが折り曲げて作成することができる。
【００７３】
ここで、図７は、枠体用ブランクシート３０に、折り曲げ位置を示すマーカーが付されている態様を示したものである。
【００７４】
図７に示す複数の星印３１は、複数の星印３１において枠体用ブランクシート３０を折り曲げ、枠体用ブランクシート３０の両端部分を連結することによって、星型の枠体３を完成させることができる折り曲げ位置を示す目印である。図７に示すハート印３２は、ハート印３２において枠体用ブランクシート３０を折り曲げ、枠体用ブランクシート３０の両端部分を連結することによって、ハート型の枠体３（図８参照）を完成させることができる折り曲げ位置の目印である。目印があることで、ユーザーは簡単に星型やハート型の枠体３を形成することができる。
【００７５】
なお、図７では、複数の枠体用ブランクシート３０が連結されたシート状の態様を示しているが、ユーザーに提供される形態として、このように複数の枠体用ブランクシート３０が連結されたシート状のものを提供することが可能である。ユーザーは、このシートから１つの枠体用ブランクシート３０を切り離して使用し、次回の使用時に再びこのシートから１つの枠体用ブランクシート３０を切り離して使用することができる。
【００７６】
〔３．２．枠体の構成の変形例〕
図１に示した本実施形態の電子レンジ加熱調理用容器１の枠体３は、帯状の１つ枠体用ブランクシート３０を用いて枠体３を組み立てる態様について説明したが、短冊状の複数の枠体用ブランクシートを長手方向に一つに連ねるように組み合わせて枠体３を作成することも可能である。
【００７７】
〔４．本実施形態の作用効果〕
本実施形態によれば、枠体３が、内周の長さを調節することによって内径が可変であるとともに、任意の形状にすることができることから、電子レンジ加熱調理用容器１（ブランクシートセット１０）のユーザーが所望する大きさおよび形状で生地５０を加熱調理して焼き上げることができる。
【００７８】
例えば先述のホットケーキで言えば、枠体３は内周の長さを調節することによって内径を変えることができることから、食べ盛りの子供には比較的大きいサイズでホットケーキを作ってあげることができる。また、ちょっとだけ食べたい場合には比較的小さいホットケーキを作ることもできる。
【００７９】
また、上記枠体は形状を変えることができることから、可愛く盛り付けをしたい場合に例えば星形のホットケーキを作ることができる。
【００８０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００８１】
本発明は、電子レンジ加熱調理用容器として、製菓用などに幅広く利用することができる。
【符号の説明】
【００８２】
１  電子レンジ加熱調理用容器
２  底体
３  枠体
１０  ブランクシートセット
２０  底体用ブランクシート（底体を形成するためのブランクシート）
２１  基材シート
２１ａ  本体部
２１ｂ  持ち手部（持ち手）
２２  発熱体
２２ａ  プラスチックフィルム層
２２ｂ  金属蒸着層
２２ｃ  剥離紙層
３０  枠体用ブランクシート（枠体を形成するためのブランクシート）
３１  星印
３２  ハート印
３３、３４  切開箇所
３６，３７  端部分
５０  生地（被加熱調理物）
Ａ〜Ｅ，ａ〜ｅ  目印（連結可能箇所、目印）
【図１】
2016073363.tif 000003
【図２】
2016073363.tif 000004
【図３】
2016073363.tif 000005
【図４】
2016073363.tif 000006
【図５】
2016073363.tif 000007
【図６】
2016073363.tif 000008
【図７】
2016073363.tif 000009
【図８】
2016073363.tif 000010